(57)【要約】  人の体の皮膚内に、潤いを与える物質および／または美容上の活性成分を送り込むための方法は、これらの物質および／または活性成分に皮膚を接触させて圧縮要素を貼付し、その後、組織を振動させることを特徴とする。圧縮要素は、圧縮包帯（４）または圧縮ラップにより形成され得る。人が振動する支持体上に乗ること、または、人の筋肉が電気刺激によって刺激されることにより、組織を振動させることができる。
2007506488.tif 000002
【特許請求の範囲】
【請求項１】
人体の皮膚内に、潤いを与える物質および／または美容上の活性成分を送り込むための方法であって、前記物質および／または活性成分に前記皮膚を接触させ、圧縮要素を貼付し、前記皮膚に結合された組織を振動させる、方法。
【請求項２】
前記圧縮要素が、前記組織の振動の偏向を防止するように適用されることを特徴とする、請求項１に記載の方法。
【請求項３】
張り詰めた態様で張られた弾性の包帯（２．１〜２．５）またはラップ（３．１〜３．４）が使用されることを特徴とする、請求項１または２に記載の方法。
【請求項４】
前記弾性の包帯またはラップの周囲に膜が取付けられることを特徴とする、請求項３に記載の方法。
【請求項５】
振動する支持体（５）上に前記人体が配置されることにより、前記組織を振動させることを特徴とする、請求項１から４の１つに記載の方法。
【請求項６】
筋肉の収縮活動が電気刺激によって生じることにより、前記組織が振動するように励振されることを特徴とする、請求項１から請求項４の１つに記載の方法。
【請求項７】
前記組織が振動するように励振される手段が、保持される圧縮要素の位置とは異なる体の位置において係合することを特徴とする、請求項１から６の１つに記載の方法。
【請求項８】
請求項１から７の１つに記載の方法における振動の偏向を防止するための、圧縮包帯または圧縮ラップの使用。
【請求項９】
人体の組織内に、潤いを与える物質および／または美容上の活性成分を送り込むための装置であって、人の組織の振動の偏向を防止するための手段に加え、本質的に流体密封の外側カバーを含む、装置。
【請求項１０】
人体の組織内に、潤いを与える物質および／または美容上の活性成分を送り込むための手段であって、少なくとも１つの圧縮包帯および／または圧縮ラップに加え、人の組織を振動させるための手段を備えた振動励起装置を含む、手段。
【請求項１１】
前記振動励起装置は、電気的に作動し得る駆動手段を有する支持体を含み、前記駆動手段は、作動時に、振動するように前記支持体を励振し、前記ドライブ手段および支持体は、前記振動励起装置が作動時に、人が前記支持体上に立つことができるように設計されることを特徴とする、請求項１０に記載の手段。
【請求項１２】
前記振動励起装置は、筋肉の収縮活動を刺激するための電気刺激装置であることを特徴とする、請求項１０に記載の手段。
【発明の詳細な説明】
【技術分野】
【０００１】
この発明は、潤いを与えるおよび／または美容上の活性成分を皮膚内に送り込むための方法、このような方法における圧縮包帯または圧縮ラップの使用に加え、潤いを与えるおよび／または美容上の活性成分を皮膚内に送り込むための装置および手段に関する。
【背景技術】
【０００２】
皮膚に張りを与え、かつ、皮膚を滑らかにするクリーム、ジェル、ローションまたはオイルを体に塗布することが公知である。このことによって達成される美容上の効果には、皮膚を滑らかにすること、組織を浄化すること、および分枝状態（Besenreisern）を抑制することが含まれ得る。
【０００３】
上述の内容の欠点とは、より多くの量の美容上のクリーム、ジェル、ローション、またはオイルが皮膚内に浸透する過程が緩慢であり、それにより、効果が緩慢であること、および弱い態様で生じることである。さらに、このような製品はしばしば、たとえば強力な刺激物を含む。これらの刺激物は、活性成分のための導入剤として適用されており、皮膚および皮下結合組織の集中的な血液循環を生じる。しかしながら、強力な刺激物は、強い不快感を生じる恐れがある。
【発明の開示】
【発明が解決しようとする課題】
【０００４】
この発明の目的は、このことを緩和することである。
【課題を解決するための手段】
【０００５】
この発明は、潤いを与える物質および／または美容上の活性成分の浸透を受動的に待つのではなく、積極的に導入、すなわち送り込むという概念に基づく。
【０００６】
したがって、この発明は、潤いを与える物質および／または美容上の活性成分を送り込むための方法を提供し、この方法は、既存の手法の欠点を克服し、特に、大きな表面に対して効率的に作用する。
【０００７】
このことは、潤いを与える物質および／または美容上の活性成分が人体の皮膚内に送り込まれること、および、これらの物質に接触する皮膚が圧縮要素上に適用されることによって行なわれ、圧縮要素は、組織の（外側への振動という意味における）外部への振動を防止するように保持され得る。
【０００８】
この圧縮要素により、振動が組織内に反射される。組織は、少なくとも励起周波数の周期で圧縮要素に押し付けられ、このことにより、導入されるべき物質が送り込まれる（ほぼ「打ち込まれる」）。
【０００９】
「美容上の活性成分」という用語は、ここでは広い意味で理解されるべきである。特に、この用語は、美容上効果的な影響を及ぼすか、または皮膚に張りを与えるあらゆる物質、および浄化物質だけでなく、潤いを与える物質等も含む。
【００１０】
「圧縮要素」は、一般にカバー状であり、したがって平坦な、柔軟性を有して少なくとも部分的に被覆し、かつ、組織に対して緊密に貼付され得る要素として理解されるべきである。圧縮要素は、或る一定の弾性を有することが多く、それによって圧縮要素は、張り詰めた態様で引き伸ばされ得る。
【００１１】
この方法は、以下のような基本的な利点を有する。
−  組織内で振動が励起されることにより、技術的に多大な労力によって作用させなくても、広い領域に亘って効果が及び得る。特に、大きな表面領域に亘り、または、組織の表面全体の上にも、振動を励起するための手段が存在する必要がない。圧縮要素が組織の大きな表面上に保持されると十分である。このことは、大きな表面の、張り詰めた、弾性または非弾性の包帯またはラップにより達成され得る。これらの包帯またはラップに、さらに、潤いを与える物質および／または活性成分を直接含浸させるか、または含ませることができる。
【００１２】
−  潤いを与える物質および／または美容上の活性成分を積極的に送り込むため、より多くの量を皮膚内で作用させることができる。
【００１３】
−  人体は、少なくとも部分的な領域において振動を生じるように励振されると、自動的に運動が行われることが示され得る。たとえば、体は、三次元の態様で振動する支持体上に立っているとき、反射作用により、支持体の動きを補償する。これによって達成され得るトレーニング効果はかなり大きい。これは、電気刺激の場合と同様である。したがって、この発明に従った方法は、どのような労力をもさらに殆ど必要とせずに、トレーニング方法と組合せることができ、このトレーニング方法はまた、当然ながら美容上の効果（脂肪の削減および局部筋肉の引き締め）を強化する。
【００１４】
−  この発明に従った概念は、さらなる手間を必要とせずに、潤いを与える物質および／または美容上の活性成分が送り込まれるべき組織の粘稠度（Konsistenz）への適合を可能にする。組織の応力／負荷に依存して、極めて様々な振動が励起され得ることが公知である。たとえば、非常に弛んだ組織（例：「弛んだ腹部」）により、低周波振動が可能である。したがって、この発明に従った方法は、励起周波数を適合させることにより、必要時に各人に対して適合され得る。
【００１５】
このような方法における圧縮包帯または圧縮ラップの使用に加え、潤いを与える物質および／または美容上の活性成分を皮膚内に送り込むための装置および手段もまた同様に、この発明の主題である。
【発明を実施するための最良の形態】
【００１６】
一実施例に従った発明は、「不規則な」振動の励起により、多数の振動が活性化されるという点を利用する。特に、振動は、体の組織内における定在波または進行波であり、進行波は、さまざまな方向の波動を有する。励起された波の中には、表面に沿って生じた横波が存在し、その波長は、たとえば、圧縮要素が覆う表面領域の寸法よりも短い。このような波は、圧縮要素により遮られ、この圧縮要素は、偏向を防止する。偏向が自由振動によって生じる場所において、組織は、圧縮要素に押し付けられ、適切な場合、僅かに圧縮される。これにより、導入されるべき物質が、組織内に送り込まれる。
【００１７】
振動する支持体上に人が立つ（または座るか、もしくは横たわる）ことにより、振動の励起が行なわれ得る。この支持体がいくつかの方向に振動を生じる場合、この方法が特に良好に作用することが示された。たとえば、三次元の態様で振動するプレートを有する製品を使用することができる。１０Ｈｚと１５０Ｈｚとの間、たとえば２０Ｈｚと９０Ｈｚとの間、特に３０Ｈｚと５０Ｈｚとの間の周波数を有する振動が好ましいことが分かっている。これらの振動が、１つの規則的な振動に限定されず、いくつかの次元で、そして可能性として厳密に周期的ではない態様で伝播する場合に、特定の効果が得られる。周波数および振幅は、組織の引き締め等の個人の要件に適合させることができる。
【００１８】
支持体、たとえばプレートにおいて振動を励起するための方法が公知である。これらの方法は、たとえば、振動するプレートと静止する基部との間の回転する偏心ディスタンサに基づき得る。このような方法の詳細は、ここでは詳細に説明しない。
【００１９】
この種の振動の励起に対する代替例または補助例として電気刺激を与えることもできる。電気刺激により、筋収縮活動が励起され得る。ここでもまた、励起されるべき所望の振動が特に集中的に、ほぼ共振する態様で励起されるように、および／または、特定のトレーニング効果が得られるように、周波数が選択され得る。
【００２０】
最後に、ベルト振動装置による振動の可能性もある。このような振動は、圧縮湿布または圧縮ラップ上に、または、圧縮湿布または圧縮ラップに少なくとも部分的に隣接して、加えられ得る。
【実施例１】
【００２１】
概して極めて概略的な図面により、この発明の実施例をより詳細に以下に説明する。
図１に示す人には、張り詰めた態様で保持される圧縮要素２．１、２．２、２．３、２．４、および２．５が設けられる。これらの圧縮要素は、本来公知であるが、相対的に大きな弾性率を有することによって張り詰めた態様で張る弾性要素を用いて、または、少なくとも僅かに弾性を有する他の材料を用いて、製造され得る。可能性として適切な溶媒内の、潤いを与えるおよび／または美容上効果的な物質は、圧縮湿布の下方に堆積される。これに対する代替例または補助例として、包帯の材料に、この種の物質を含浸させることもできる。また、皮膚の上にいくつかの物質を続けて堆積することもできる。
【００２２】
適切な場合（図示せず）、たとえば膜状の態様で設計され得る外側カバーが湿布上に取付けられる。このカバーは、同じく張り詰めた態様で張られ得、圧縮包帯の効果をさらに強化し得る。さらに、このカバーは本質的に流体密封であり得、これにより、湿布の周囲に付着させた布片が、湿布に含浸または浸漬させた物質で汚れることを防止し得る。
【００２３】
図２において、人は、圧縮包帯の代わりに、圧縮ラップ３．１、３．２、３．３、および３．４を装着している。これらの圧縮ラップもまた同様に、張り詰めた態様で人の皮膚上に保持され得るように設計される。圧縮ラップはたとえば、血圧計バンドと同様に、可逆に作動させることのできる止め具、たとえば、いわゆるVelclo（登録商標）タイプの止め具か、または同様のものを含み得る。このような止め具はまた、少なくともわずかに弾性を有するラップ材料を有し、必要とされる何らかの力が加えられると、ラップが組織上に密に保持され得るようにする。ラップはまた、それによって密な保持／組織への圧力がさらに高められるか、または強化される、追加手段も含み得る。このような追加手段は、自ら膨張する圧力体、またはラップの内部で膨張する圧力体等を含み得る。
【００２４】
スリーブ状であり、閉じていることが考えられるラップが、図面に示される。閉じており、かつ、ストッキング状でもあるラップを考えることができ、これらのラップは、適切な場合、サポートストッキングと同様に、適切な補助によって滑らせて装着することができる。包帯は、本質的に流体密封であって耐摩耗性の外部層を有し得、これにより、別個の外部カバーの必要がなくなる。しかしながら、これらの包帯は、湿布と同様の別個の外側スリーブにより補助されてよい。
【００２５】
別個の外部カバーが必要とされない場合、布片を湿布／ラップの上に配置することができ、いずれの場合も、カバー／外側層の必要性をなくし得る。
【００２６】
図３では、湿布４が施された人１が、三次元で振動する支持体、具体的にはプレート５上に立っている。このプレートは、静止した基部６に取付けられる。さまざまな方向の偏
向（変位）でプレートを振動させる駆動手段が、プレート５と基部６との間に配置される。人体における振動は、プレート５の振動により励起される。人は、任意の支持柱７をしっかりと掴むことにより、バランスをとることに専念する必要がなくなる。
【００２７】
不均質な組織内で励起され、数学的に見て変則的な形状を有する多数の振動は、簡単に説明することができない。しかしながら一般に、振動状態は、固有振動の線形の（数学的に独立した）重畳によって推定され得る。したがって、同時に励起された複数の振動自体から、個々の振動を考慮することが示され得る。例として、組織の表面に沿って伝播する横波に対応する振動を図面に示す。このような波に関しては、伝播速度と、したがって所定の励起周波数を用いた場合は２つの「波のピーク」間の距離もまた、（力としての）組織の応力の累乗根に比例する場合がある。このことは、組織が弛むにつれて波の伝播が遅くなり、したがって「波のピーク」がさらに離れることを意味する。
【００２８】
振動の励起による圧縮要素の効果を、図４に極めて概略的に示す。例示用の図面の図はいずれも、振動する支持体上に立つ人の下肢を示す。適正な図面において、いずれの場合も、人には、振動を防止する湿布１１とスリーブ１２とが施されているが、適正な図面において、組織は外部へ自由に振動し得る。偏向した（外側に移動する）自由な振動は、矢印の方向に進行する波の振幅１３により表わされる。
【００２９】
適正な図面において、組織は、圧縮包帯または圧縮ラップにより形成された圧縮要素により、偏向する態様で振動しないかもしれない。このような圧縮ラップが組織上に保持されている場合、このラップは、以下のように、すなわち、組織の、偏向を伴った振動（ここでは「外部への振動」とも称する）が防止されるように、このような振動に作用する。その代わりに、圧縮要素が存在しない場合には偏向（変位）が存在するであろう場所付近における組織は、圧縮要素に局部的に押し付けられるのと同時に、互いに押し付けられ、圧縮率に依存して僅かに圧縮される。この効果が、導入されるべき物質の、皮膚内への送り込みである。組織において圧縮された位置１４は、図面において概略的に示される。
【００３０】
当然ながら、圧縮要素は、励起された振動の伝播特性および設計に影響を及ぼす。図４による例示のためだけの議論を単純化するため、この状態については扱わない。
【００３１】
圧縮要素が存在しない場合、偏向の伝播を伴う振動の存在が必要とされない。「定在波」は、両側でクランプされたケーブルで生じる振動と同様に、ごく容易に形成され得る。述べたように、実際の振動の状態は、いずれの場合においても、複数の考え得る振動状態の重畳として認識され得る。
【００３２】
図５では、極めて概略的に示す圧縮湿布（包帯）２１と、同様に極めて概略的に描かれた電気刺激装置の電極２２とを装着した人が示される。この電気刺激装置は、図３に記載するプレートの代わりとなるものであり、この装置もまた、振動を生じ得、かつ、同様に組織内に振動を励起するように働く。電気刺激による筋収縮の励起は、本質的に公知であり、ここでは詳細に説明しない。
【００３３】
振動し得るプレートおよび電気刺激装置の代わりに、組織内に振動を励起するためのさらに別の手段が考えられる。この発明の文脈において重要な点は、組織自体が振動するように励振されることであり、具体的には、組織自体が、概して点毎の態様でなく、圧縮湿布またはラップの表面全体の上で振動するように、励振されることである。
【００３４】
潤いを与える物質を皮膚内に送り込むための手段は、以下の構成要素、すなわち、
−  人の組織内に振動を励起するための手段、たとえば振動し得るプレート、または電気刺激装置と、
−  少なくとも１つの圧縮包帯および／またはラップとを含む。圧縮し得るプレートには、本質的に流体密封の外側カバーが設けられ得る。この手段はさらに、
−  好ましくは、潤いを与えるおよび／または美容上効果的な物質を含む。これらの物質は、包帯／ラップ内に直接存在する（すなわち、包帯／ラップに上述の物質を少なくとも部分的に含浸させる）か、別個の容器で提供される。この手段はさらに、
−  可能性として、本質的に流体密封の追加のカバー材料、たとえば膜を含む。
【００３５】
潤いを与えるおよび／または美容上効果的な物質は、ジェル、エマルジョン、クリーム、オイル、ローション等として存在し得る。そして、これらの物質は、広く組合された含有物質を有し得る。考え得る、組織および皮膚を保護する含有物は、化粧品から公知である。これらの含有物には、水、オイル、および／またはアルコール、ならびに、イチョウの葉、チョウセンニンジンの根、マカダミア、ウスベニアオイ、ミント、バーム、マリーゴールド、藻類、オリーブ、アボカド、トチノキ、ヒバマタ類の海藻、イラクサ、トクサ、ホホバ油、トウモロコシ油、アーモンド油、麦芽油、およびさらに別の天然成分に加え、合成活性成分からの抽出物のグループのうちの少なくともいくつかが含有され得る。
【図面の簡単な説明】
【００３６】
【図１】さまざまな種類の圧縮湿布を貼った人の図である。
【図２】いくつかの圧縮ラップを貼った人の図である。
【図３】振動する支持体上の人を示す図である。
【図４】偏向する（外側に移動する）振動を防止する原理を示す図である。
【図５】いくつかの圧縮湿布またはラップと、電磁刺激のための手段とを装着した人を示す図である。
【図１】
2007506488.tif 000003
【図２】
2007506488.tif 000004
【図３】
2007506488.tif 000005
【図４】
2007506488.tif 000006
【図５】
2007506488.tif 000007
【国際調査報告】
2007506488.tif 000008
2007506488.tif 000009
2007506488.tif 000010
2007506488.tif 000011
2007506488.tif 000012
2007506488.tif 000013
2007506488.tif 000014
2007506488.tif 000015
2007506488.tif 000016
2007506488.tif 000017